【手続補正書】
【提出日】令和2年10月29日(2020.10.29)
【手続補正１】
【補正対象書類名】明細書
【補正対象項目名】００６０
【補正方法】変更
【補正の内容】
【００６０】
【図１】実施形態に係る、病変を治療するためのシステムを示すブロック図である。
【図２】実施形態に係る、シースと、中央カテーテルと、シースと中央カテーテルとの間に挿入され中央カテーテルの周縁の周りに均等に配置された４つの機械的導波管とを含むカテーテルを示す図である。
【図３】実施形態に係る、シースと、中央カテーテルと、シースと中央カテーテルとの間に挿入され中央カテーテルの周縁の周りに非対称に配置された５つの機械的導波管とを含むカテーテルを示す図である。
【図４】実施形態に係る、シースと、中央カテーテルと、シースと中央カテーテルとの間に挿入された２列の機械的導波管とを含むカテーテルを示す図である。
【図５】実施形態に係る、傾斜した遠位端を有する２つの機械的導波管を含むカテーテル装置の断面図である。
【図６ａ】実施形態に係る、シースと、中央カテーテルと、シースと中央カテーテルとの間に挿入されシースから径方向および外側方向に移動可能な４つの導波管とを含むカテーテル装置の側面図である。
【図６ｂ】機械的導波管が後退位置にあるときの図６ａのカテーテル装置の正面図である。
【図６ｃ】機械的導波管が伸長位置にあるときの図６ａのカテーテル装置の正面図である。
【図７ａ】実施形態に係る、シースと、中央カテーテルと、シースと中央カテーテルとの間に挿入された４つの機械的導波管とを含むカテーテル装置の側面図であり、機械的導波管は、シースから横方向および外側に向かって移動することができる。
【図７ｂ】機械的導波管が後退位置にあるときの図７ａのカテーテル装置の正面図である。
【図７ｃ】機械的導波管が伸長位置にあるときの図７ａのカテーテル装置の正面図である。
【図８】実施形態に係る、複数のプレートが設けられたカテーテルとスリーブとを含むカテーテル装置を示す図である。
【図９】実施形態に係る、図８の複数のプレートが設けられたカテーテルを示す図である。
【図１０】実施形態に係る、ディスク形状のプレートを示す図である。
【図１１ａ】実施形態に係る、１つの開口が設けられたプレートを示す図である。
【図１１ｂ】図１１ａのプレートの部分断面図である。
【図１２】実施形態に係る、中央のカテーテルと、各々に螺旋形ワイヤが設けられた複数の機械的導波管と、筒状スリーブとを含むカテーテル装置を示す図である。
【図１３】実施形態に係る、中央のカテーテルと、各々に筒状メッシュが設けられた複数の機械的導波管と、筒状スリーブとを含むカテーテル装置を示す図である。
【図１４】実施形態に係る、中央のカテーテルと、複数の機械的導波管と、メッシュスリーブとを含むカテーテル装置を示す図である。
【手続補正２】
【補正対象書類名】明細書
【補正対象項目名】００７５
【補正方法】変更
【補正の内容】
【００７５】
示されている実施形態において、導波管３２、３４、３６および３８はカテーテル２８を中心として対称に分散するように配置されているが、カテーテル２８に対する導波管３２、３４、３６および３８の位置は異なる位置であってもよい。図３は、カテーテル５４と５つの機械的導波管５６、５７、５８、５９および６０とが挿入されている細長い中空の本体またはスリーブ５２を含むカテーテル装置５０を示す。５つの機械的導波管５６、５７、５８、５９および６０は、本体５２とカテーテル５４との間において、隣り合う２つの機械的導波管５６、５７、５８、５９および６０が物理的に接触するように、挿入されている。示されている実施形態において、機械的導波管は、カテーテル５４の周縁の約２分の１の周りに配置されている。
【手続補正３】
【補正対象書類名】明細書
【補正対象項目名】０１１８
【補正方法】変更
【補正の内容】
【０１１８】
一実施形態において、プレート２１４と、導波管２０６を収容するためのプレートの開口部２１６とは、機械的導波管２０６同士の物理的接触、機械的導波管２０６とカテーテル２０４との物理的接触、および／または機械的導波管２０６とスリーブ２０２との物理的接触を防止することにより、機械的導波管２０６の内部に伝播する機械的な波の結合損失を少なくとも制限するまたは減じるために、使用される。
【手続補正４】
【補正対象書類名】明細書
【補正対象項目名】０１３６
【補正方法】変更
【補正の内容】
【０１３６】
ディスク２２０は１列の開口部２２４を含んでいるが、ディスク２２０は２列以上の開口部を含み得ることが理解されるはずである。たとえば、ディスク２２０は、その中心がディスク２２０の中心から第１の距離に位置する第１列の開口部と、その中心がディスク２２０の中心から第１の距離よりも長い第２の距離に位置する第２列の開口部とを含んでいてもよい。第１列の各開口部を、第２列の対応する開口部に対して整列させてもよい、すなわち、第１列の各開口部は、第２列の対応する開口部と同一の角度位置を有する。これに代えて、第１列の開口部と第２列の開口部とが整列していなくてもよい。一実施形態において、第１列と第２列とが同じ数の開口部を含んでいてもよい。別の実施形態において、第１列の開口部の数と第２列の開口部の数とが異なっていてもよい。同様に、第１列の開口部が第２列の開口部と同一であってもよい。これに代えて、第２列の開口部が第１列の開口部と異なっていてもよく、たとえば、形状、寸法、角度位置、および／またはその他が異なっていてもよい。
【手続補正５】
【補正対象書類名】明細書
【補正対象項目名】０１５５
【補正方法】変更
【補正の内容】
【０１５５】
一実施形態において、カテーテル装置２００は、カテーテル２０４とスリーブ２０２との間において、光干渉断層（ＯＣＴ）または血管内超音波（ＩＶＵＳ）撮像装置をさらに含む。
【手続補正６】
【補正対象書類名】明細書
【補正対象項目名】０１７７
【補正方法】変更
【補正の内容】
【０１７７】
示されている実施形態において、スリーブ３０２、３２２の遠位端３０８、３２８は、機械的導波管３０６、３２６の遠位端３１２、３３２と同一の面をなしていないが、その他の構成も可能であることが理解されるはずである。たとえば、スリーブ３０２、３２２は、遠位端３１２、３３２まで、長さ全体に沿って機械的導波管３０６、３２６を覆っていてもよい。
【手続補正７】
【補正対象書類名】明細書
【補正対象項目名】０１８２
【補正方法】変更
【補正の内容】
【０１８２】
一実施形態において、機械的導波管３０６、３２６は、機械的導波管３０６、３２６の遠位端３１２、３３２がカテーテル３０４、３２４の遠位端３１０、３３０と同一の面をなすように、カテーテル３０４、３２４に対して配置される。別の実施形態において、機械的導波管３０６、３２６は、カテーテル３０４、３２４の遠位端３１０、３３０から後退した位置にある、すなわち、機械的導波管３０６、３２６の遠位端３１２、３３２は、カテーテル３０４、３２４の遠位端３１０、３３０と近位端との間に位置する。他の実施形態において、機械的導波管３０６、３２６は、カテーテル３０４、３２４の遠位端３１０、３３０から前方の位置にある、すなわち、カテーテル３０４の遠位端３１０、３３０は、機械的導波管３０６、３２６の遠位端３１２、３３２と近位端との間に位置し、機械的導波管３０６、３２６の遠位端３１２、３３２は、カテーテル３０４、３２４の遠位端３１０、３３０から前方に突出している。さらに他の例において、機械的導波管３０６、３２６のうちのいくつかの機械的導波管の遠位端３１２、３３２がカテーテル３０２、３３２の遠位端３１０、３３０から突出している一方で、その他の機械的導波管３０６、３２６の遠位端３１２、３３２がカテーテル３０２、３３２の遠位端３１０、３３０と同一面をなしていてもよい。
【手続補正８】
【補正対象書類名】明細書
【補正対象項目名】０１９４
【補正方法】変更
【補正の内容】
【０１９４】
一実施形態において、スリーブ３０２、３２２を熱収縮材料で構成することにより、機械的導波管３０６、３２６の遠位端３１２、３３２とカテーテル３０４、３２４の遠位端３１０、３３０とが物理的に接触した状態を維持する。
【手続補正９】
【補正対象書類名】明細書
【補正対象項目名】０１９５
【補正方法】変更
【補正の内容】
【０１９５】
一実施形態において、カテーテル装置３００、３２０は、カテーテル３０４、３２４に対して機械的導波管３０６、３２６の遠位端３１２、３３２を適所で維持するための、スリーブ３０２、３２２の遠位端の上に固定されたリングをさらに含む。一実施形態において、このリングは放射線不透過性材料で構成してもよい。